(57)【要約】      （修正有）【課題】ワッシャーの回転を確保するナットの緩み防止結合構造を提供する。【解決手段】ナット２０は、ネジ孔２１を備え、ナット２０の底面は第一楔型面２２を形成し、第一楔型面２２は、少なくとも一つの単方向の楔型歯部からなる。第一楔型面２２におけるネジ孔２１に近い周縁は、外側に延伸して円錐リング２４を形成し、円錐リング２４の外径の幅は等しく、円錐リング２４の根元の部分の厚さは、円錐リング２４の環状口より大きい。ワッシャー３０の中央は錐孔を形成し、錐孔は、厚さを備えた位置限定段３１１と錐形環状段３１２とを備える。円錐リング２４は錐孔に通されることで、環状口は外に広がって錐孔の孔径より径口が大きい凸リングが形成され、凸リングは位置限定段３１１によって位置が限定され、凸リングの外径の角度は垂直状を形成し、円錐リング２４の外径は真っすぐな状態を保ち、ナット２０とワッシャー３０は理想的な隙間を有する。【選択図】図１
0003178281.tif 000002
【実用新案登録請求の範囲】
【請求項１】
ナットと、ワッシャーとからなるナットの緩み防止結合構造であって、
前記ナットは、ネジ孔を備え、前記ナットの底面は第一楔型面を形成し、前記第一楔型面は、少なくとも一つの単方向の楔型歯部からなり、前記ワッシャーの中央は錐孔を形成し、前記ワッシャーの頂面には、ナットの第一楔型面の外形に対応する第二楔型面が形成され、前記ワッシャーの底面には、少なくとも一つの放射状に排列された突起部が設けられ、
前記第一楔型面における前記ネジ孔に近い周縁は、外側に延伸して円錐リングを形成し、前記円錐リングの外径の幅は等しく、円錐リングの根元の部分の厚さは、円錐リングの環状口より大きく、
前記錐孔は、位置限定段と錐形環状段とを備え、前記位置限定段は、第二楔型面に設けられた単方向の楔型歯部の最底端が、ワッシャーの底面に向かって厚さａを形成することによってなり、前記位置限定段は、外側に向かって斜めに錐形環状段を形成し、厚さａのサイズは０．２ｍｍであり、
前記ナットの円錐リングは、前記ワッシャーの錐孔に通され、それにより、円錐リングの環状口は外に広がって錐孔の孔径より径口が大きい凸リングが形成され、凸リングは、ワッシャーの位置限定段によって位置が限定され、凸リングの外径の角度は、わずかに垂直状を形成し、凸リングの下の円錐リングの外径は真っすぐな状態を保ち、ナットとワッシャーは、径方向及び軸方向において、理想的な隙間を有することを特徴とする、ナットの緩み防止結合構造。
【考案の詳細な説明】
【技術分野】
【０００１】
本考案はナットの緩み防止結合構造に関し、特にナットのネジ孔周縁が、ワッシャーの中心孔に結合される円錐リングを形成し、前記円錐リングが衝撃を受けて変形することで、ワッシャーと結合され、それにより、前記ワッシャーの回転を確保することが可能なナットの緩み防止結合構造に関する。
【背景技術】
【０００２】
図３を参照する。図３は、従来のナットとワッシャーの結合構造である。その内、ナット１０は、ネジ孔１０１を備え、ネジ孔１０１の周縁は延伸して円柱リング１０２を形成する。それに対応して、ワッシャー１１には、円柱リング１０２より大きい中心孔１１１が設けられ、中心孔１１１の周縁には、中心孔１１１の孔径より大きい環状溝１１２が設けられる。この二つの部材を組み合わせる時は、ナット１０の円柱リング１０２をワッシャー１１の中心孔１１１に嵌め込んだ後、打ち抜きダイ１２のヘッドを利用して円柱リング１０２の環状口１０３に衝撃を与え、環状口１０３の口径の広さを拡大させて、中心孔１１１の孔径より大きくすることで、ナット１０とワッシャー１１の形状が相互に干渉して外れなくなるとともに、適切な隙間が保たれる。
【０００３】
上述した従来のナットの組合せ構造は、相互に結合させるという効果を達成できるものの、図４に示すように、円柱リング１０２が外に広がる構造形状は、以下のように、少なくともいくつかの欠点が存在する。
【０００４】
１、円柱リング環状口１０３の外形が外に広がると、相対的に、環状口１０３と環状溝１１２及び中心孔１１１間の可動な隙間１３が縮まり、ワッシャー１１の径方向の可動距離に影響し、さらには、環状口１０３がワッシャー環状溝１１２につまり回転させることができなくなり、ナットの固定効果に影響がある。
【０００５】
２、また、環状口１０３の外に広がる口径が大きくなると、円柱リング１０２の垂直な部分が相対的に短くなる。この現象が意味するのは、ワッシャーの軸方向の可動なストロークが、環状口１０３が外に広がるにつれ短くなるということである。この現象が、ナットとワッシャー間の楔型歯部を備える盗難防止ナットで起こった場合、二つの対応する楔型歯部の最も厚い箇所を合わせる時に必要な軸方向のストロークを提供することができず、ワッシャーが環状口から離れ、二つの部材が分離してしまうという欠点がある。従って、前記の従来のナットの組合せ構造は、改善する余地がある。
【考案の概要】
【考案が解決しようとする課題】
【０００６】
そこで、本考案は、ナットとワッシャーを効果的に結合し、ワッシャーの回転を確保することが可能なナットの緩み防止結合構造を提供することを目的とする。
【課題を解決するための手段】
【０００７】
上述の目的を達成するために、本考案によるナットの緩み防止結合構造は、ナットと、ワッシャーとからなる。前記ナットは、ネジ孔を備え、前記ナットの底面は第一楔型面を形成し、前記第一楔型面は、少なくとも一つの単方向の楔型歯部からなる。前記ワッシャーの中央は錐孔を形成し、前記ワッシャーの頂面には、ナットの第一楔型面の外形に対応する第二楔型面が形成され、前記ワッシャーの底面には、少なくとも一つの放射状に排列された突起部が設けられる。前記第一楔型面における前記ネジ孔に近い周縁は、外側に延伸して円錐リングを形成し、前記円錐リングの外径の幅は等しく、円錐リングの根元の部分の厚さは、円錐リングの環状口より大きい。前記錐孔は、位置限定段と錐形環状段とを備え、前記位置限定段は、第二楔型面に設けられた単方向の楔型歯部の最底端が、ワッシャーの底面に向かって厚さａを形成することによってなり、前記位置限定段は、外側に向かって斜めに錐形環状段を形成する。
【０００８】
前記ナットの円錐リングは、前記ワッシャーの錐孔に通され、それにより、円錐リングの環状口は外に広がって錐孔の孔径より径口が大きい凸リングが形成され、凸リングは、ワッシャーの位置限定段によって位置が限定され、凸リングの外径の角度は、わずかに垂直状を形成し、凸リングの下の円錐リングの外径は真っすぐな状態を保ち、ナットとワッシャーは、径方向及び軸方向において、理想的な隙間を有する。
【図面の簡単な説明】
【０００９】
【図１】本考案の外観を示した斜視図である。
【図２】本考案の断面図である。
【図３】従来のナットの構造と組み合わせ加工を示した説明図である。
【図４】従来のナットとワッシャーを組み合わせた後の構造関係を示した説明図である。
【考案を実施するための形態】
【００１０】
図１に示すように、本考案は、ナット２０とワッシャー３０とからなる。
【００１１】
ナット２０は、中央にネジ孔２１を備える六角ナットである。ナット２０の底面は第一楔型面２２を形成し、第一楔型面２２は、少なくとも一つの単方向の楔型歯部２３からなり、単方向の楔型歯部２３は、斜面２３１と垂直ストップ面２３２とからなり、同一の円心の角度においては、斜面２３１の外縁と内縁の高さは同じである。第一楔型面２２におけるネジ孔２１に近い周縁箇所は、外側に延伸して円錐リング２４を形成し、断面から観察すると、円錐リング２４の外径の幅は等しく、根元の部分に近い箇所の厚さは、環状口２４１より大きく、内円錐状を形成している。
【００１２】
ワッシャー３０は、中央に錐孔３１を備える円形ワッシャーであり、錐孔３１の口径は円錐リング２４よりわずかに大きい。ワッシャー３０の頂面は、ナット２０の第一楔型面２２の外形に対応する第二楔型面３２を形成し、ワッシャー３０の底面には、少なくとも一つの放射状に排列された突起部３３が設けられる。突起部３３の断面は、斜面３３１と垂直壁３３２とからなり、斜面３３１は、回転する方向に沿って設けられる。ワッシャー３０の外周には、少なくとも一つの凹み部３４が設けられ、それにより、専用工具を用いて、取り外しを行うことができる。なお、錐孔３１は、位置限定段３１１を備え、位置限定段３１１は、第二楔型面３２に設けられた単方向の楔型歯部の最底端が、ワッシャー３０の底面に向かって厚さａを形成することによってなり、位置限定段３１１は、外側に向かって斜めに錐形環状段３１２を形成し、厚さａのサイズは０．２ｍｍである。
【００１３】
上述の構造による本考案のナット２０の円錐リング２４をワッシャー３０の錐孔３１に通し、打ち抜きダイ４０を利用して、円錐リング２４の環状口２４１を拡大させる。図２に示すように、環状口２４１の厚さは、根元の部分より薄いため、環状口２４１は変形して外側に広がりやすく、錐孔３１孔径より口径が大きい凸リング２４２が形成される。それにより、凸リング２４２は、ワッシャーの位置限定段３１１によって位置が限定され、それにより、ナット２０とワッシャー３０が分離しない効果を達成できる。なお、環状口２４１の厚さが根元の部分より薄いため、凸リング２４２の外径の角度は、内側に向かって収束して垂直状を呈し、凸リング２４２の下の円錐リング２４の外径も外に広がって大きくなったりせず、平らで真っすぐな状態を保持することができる。以上の構造により、円錐リング２４と位置限定段３１１及び錐形環状段３１２間は、ナットとワッシャーを結合させた後に、理想的な径方向及び軸方向の隙間を保持することができ、ワッシャーの自由な回転を確保することができる。
【符号の説明】
【００１４】
１０      ナット                          
１０１    ネジ孔
１０２    円柱リング               
１０３    環状口
１１      ワッシャー                      
１１１    中心孔
１１２    環状溝                          
１２      打ち抜きダイ
１３      隙間
２０      ナット                          
２１      ネジ孔
２２      第一楔型面        
２３      単方向の楔型歯部
２３１    斜面                            
２３２    ストップ面
２４      円錐リング               
２４１    環状口
２４２    凸リング                        
３０      ワッシャー
３１      錐孔                            
３１１    位置限定段
３１２    錐形環状段               
ａ        厚さ
３２      第二楔型面        
３３      突起部
３３１    斜面                            
３３２    垂直壁
３４      凹み部                          
４０      打ち抜きダイ
【図１】
0003178281.tif 000003
【図２】
0003178281.tif 000004
【図３】
0003178281.tif 000005
【図４】
0003178281.tif 000006